(57)【特許請求の範囲】
【請求項１】
建築物の外壁面を構成するために、建築物の躯体に取り付けられ、
室内側に位置するインナースキンと、該インナースキンと所定の間隔を開けて室外側に位置するアウタースキンとを有し、該インナースキンとアウタースキンとで二重壁構造に形成されたダブルスキンカーテンウォールにおいて、
前記アウタースキンは、室外に面するフェイスガラスと、該フェイスガラスの室内側でフェイスガラスの上下方向に延びるように配置されてフェイスガラスを支持するリブガラスとから構成され、
隣り合うフェイスガラス同士が所定間隔の隙間を空けて配置されていることを特徴とするダブルスキンカーテンウォール。
【請求項２】
前記隙間の室内側には、
該隙間から前記インナースキンと前記アウタースキンとの間に空気を導入するための空気導入口が設けられていることを特徴とする請求項１記載のダブルスキンカーテンウォール。
【請求項３】
前記隙間の室内側には、
各フェイスガラスの隙間側端部に配置される２枚の前記リブガラスと、
該両リブガラスの室内側端部を連結して閉塞する閉塞板とから構成される小部屋部が形成されていることを特徴とする請求項１または２記載のダブルスキンカーテンウォール。
【請求項４】
前記空気導入口には、フィルターが設けられていることを特徴とする請求項２または３記載のダブルスキンカーテンウォール。
【請求項５】
前記フィルターは、防虫効果を有するものであることを特徴とする請求項４記載のダブルスキンカーテンウォール。
【請求項６】
前記閉塞板は、開閉可能に設けられていることを特徴とする請求項３，４または５記載のダブルスキンカーテンウォール。
【請求項７】
前記建築物の躯体は、インナースキンの下端部を支持すると共に、アウタースキンの少なくともリブガラスの下端部を支持することができるように、室外側へ突出して設けられていることを特徴とする請求項３，４，５または６記載のダブルスキンカーテンウォール。
【請求項８】
上下に隣り合うフェイスガラスの間には、空気導入口から導入した空気を導出する空気導出口が設けられ、
該空気導出口には、風向調節用および雨水侵入禁止用として、複数の羽根を有する羽根部と、該羽根部を支持する枠体部とから成るガラリが設けられ、
該ガラリは、
前記羽根部と前記枠体部とが一体に形成され、フライス加工によって各羽根の間に隙間を形成したものであることを特徴とする請求項１，２，３，４，５，６または７記載のダブルスキンカーテンウォール。
【発明の詳細な説明】
【０００１】
【発明の属する技術分野】
本発明は、二重壁構造に形成されたダブルスキンカーテンウォールに関する。
【０００２】
【従来の技術】
建築物の外壁を構成するカーテンウォールとして、ダブルスキンカーテンウォールが知られている。
ダブルスキンカーテンウォールとは、室内側のパネル板であるインナースキンと室外側のパネル板であるアウタースキンとを有し、このインナースキンとアウタースキンとの間に所定の間隔の空間を設けたものである。
かかるダブルスキンカーテンウォールのパネル板として、通常はガラスが用いられている。
【０００３】
通常、ダブルスキンカーテンウォールには、インナースキンとアウタースキンとの間の空間に外気を流通させるような構造が成されている。
このような構造としては、上下方向に隣り合うアウタースキン同士の隙間に空気導入口と空気導出口を設け、空気導入口から導入した外気をインナースキンとアウタースキンとの間の空間内で上昇させて空気導出口から排気するようなものである。
【０００４】
このようなダブルスキンカーテンウォールを建築物の外壁面に採用することで、見た目に美しい建築物とすることができるという利点がある。
特に、パネル板をガラスとすることによって、見た目にさらに美しい外観とすることができると共に、太陽光を大きく取り入れて明るい室内空間の提供もできる。
【０００５】
また、ダブルスキンカーテンウォールを採用することによって、室内の空調設備を簡素化できるという利点もある。
すなわち、インナースキンとアウタースキンとの間の空間が断熱層としての役割を有するので、冬季においては外気の侵入を防止し、室内温度が低下することを防止することができる。一方、夏季においては、この空間が断熱層になると共に、上述したようにアウタースキンの下方から導入した空気を、空間内を通過させてアウタースキンの上方から排出することにより、室内温度の上昇を防止することができる。さらに、春季あるいは秋季においては、インナースキンをドリーキップ窓としておけばアウタースキンの下方から導入した空気を直接室内へ取り込むことができるのである。
【０００６】
このように、ダブルスキンカーテンウォールは、大規模な空調設備を使用しなくとも室内空間を快適な温度に設定することができるので、ＣＯ2の削減等が叫ばれている今日においては環境にやさしい建築物を提供することができるため今後さらに注目される構造である。
【０００７】
【発明が解決しようとする課題】
従来のダブルスキンカーテンウォールでは、アウタースキンを構成するフェイスガラスにおいて、隣り合うフェイスガラスは隙間が開かないようにシール材で塞がれているか、あるいは隙間を開けて配置している場合であってもフェイスガラスの周囲はアルミフレームによって支持されているものであった。
しかし、外側にシールが露出していると、雨等の影響によってシールに汚れが付着しやすく、見た目が汚い印象になってしまいダブルスキンカーテンウォールの利点を大きく損ねてしまうという課題がある。
【０００８】
また、アルミフレームで支持されているものであれば、前面がガラスのシンプルな見た目となっているにもかかわらず、アルミフレームのごつごつして洗練されていないイメージが前面に出てくるので、デザイン上不利になるという課題がある。
【０００９】
さらに、インナースキンとアウタースキンとの間の空間内に空気を取り入れる空気導入口には落ち葉等のゴミが詰まったりしやすく、これを取り除くための清掃が大変であるという課題もあった。
【００１０】
そこで、本発明は上記課題を解決すべくなされ、その目的とするところは、ダブルスキンカーテンウォールの見た目を良くすることができ、また空気導入をする際の問題点をも解決できるダブルスキンカーテンウォールを提供することにある。
【００１１】
【課題を解決するための手段】
本発明は、上記目的を達成するために次の構成を備える。
すなわち、本発明にかかるダブルスキンカーテンウォールによれば、建築物の外壁面を構成するために、建築物の躯体に取り付けられ、室内側に位置するインナースキンと、該インナースキンと所定の間隔を開けて室外側に位置するアウタースキンとを有し、該インナースキンとアウタースキンとで二重壁構造に形成されたダブルスキンカーテンウォールにおいて、前記アウタースキンは、室外に面するフェイスガラスと、該フェイスガラスの室内側でフェイスガラスの上下方向に延びるように配置されてフェイスガラスを支持するリブガラスとから構成され、隣り合うフェイスガラス同士が所定間隔の隙間を空けて配置されていることを特徴としている。
この構成を採用することによって、隣り合うフェイスガラス同士を所定の間隔を空けたので表面に汚れやすいシールを使用する必要がなくなり、建築物の綺麗な外観を提供できる。また、アルミフレーム等を用いずにフェイスガラスを支持しているので、すっきりしたイメージの外見にすることができる。
【００１２】
また、前記隙間の室内側には、該隙間から前記インナースキンと前記アウタースキンとの間に空気を導入するための空気導入口が設けられていることを特徴とするので、フェイスガラスよりも空気導入口が奥まった所にあることとなり、ゴミ等が直接空気導入口に入りにくくなる。
【００１３】
さらに、前記隙間の室内側には、各フェイスガラスの隙間側端部に配置される２枚の前記リブガラスと、該両リブガラスの室内側端部を連結して閉塞する閉塞板とから構成される小部屋部が形成されていることを特徴としてもよい。
この構成を採用すれば、空気導入口は建築物の外壁面に直接露出するようなことがなく、この小部屋部から空気が導入されるのでゴミ等が直接空気導入口に入りにくくなる。
【００１４】
また、前記空気導入口には、フィルターが設けられていることを特徴とすると、フィルターにゴミ等がたとえ小部屋部内に入ってきてもアウタースキンとインナースキンとの間の空間内には入らないようにすることができる。
【００１５】
前記フィルターは、防虫効果を有するものであることを特徴とすると、アウタースキンとインナースキンとの間の空間内への虫の侵入を防止することができる。
【００１６】
さらに、前記閉塞板は、開閉可能に設けられていることを特徴とすると、室内側からアウタースキンとインナースキンとの間の空間内に入り込めば、閉塞板を空けて小部屋部内の清掃をすることができる。
【００１７】
前記建築物の躯体は、インナースキンの下端部を支持すると共に、アウタースキンの少なくともリブガラスの下端部を支持することができるように、室外側へ突出して設けられていることにより、インナースキンとアウタースキンとの間の構造を簡単な構造にすることができ、且つ重量がある金属製の建築材料を用いてインナースキンとアウタースキンとの間に人が歩ける程度の足場を設けなくとも良いので、建築物全体の軽量化にも寄与することができる。
【００１８】
なお、上下に隣り合うフェイスガラスの間には、空気導入口から導入した空気を導出する空気導出口が設けられ、該空気導出口には、風向調節用および雨水侵入禁止用として、複数の羽根を有する羽根部と、該羽根部を支持する枠体部とから成るガラリが設けられ、該ガラリは、前記羽根部と前記枠体部とが一体に形成され、フライス加工によって各羽根の間に隙間を形成したことを特徴としている。
この構成によれば、ガラリを製造する際に、枠体部と羽根部とをそれぞれ別々に製造してそれらをあとで組立てるということをしなくともよく、ガラリの製造時間を極めて短時間に短縮することができる。また、構造も単純化して部品点数の削減も達成できるので、コスト削減に寄与することができる。
【００１９】
【発明の実施の形態】
以下、本発明にかかる好適な実施の形態を添付図面と共に詳細に説明する。
図１は、本発明のダブルスキンカーテンウォールを室外側から見た正面図である。図２は、ダブルスキンカーテンウォールを側面からみた断面図を示している。
【００２０】
ダブルスキンカーテンウォール２０は、室内側に位置するインナースキン２４と、室外側に位置するアウタースキン２２とを具備している。
すなわち、ダブルスキンカーテンウォール２０は、アウタースキン２２とインナースキン２４とで二重壁構造によって建築物の外壁を構成するようにしている構造である。
【００２１】
本実施形態では、アウタースキン２２およびインナースキン２４共にガラスによって構築されている。
特に、本実施形態によるインナースキン２４は、内倒しおよび内開きが可能なドリーキップ窓を採用している。
【００２２】
アウタースキン２２を構成するフェイスガラス３０の上下両端部にはガラリ３６が設けられている。一方、フェイスガラス３０の左右両端部は、隣のフェイスガラス３０とは隙間３３を空けて設けられている。
【００２３】
アウタースキン２２とインナースキン２４とは互いに所定の間隔を空けて配置されており、本実施形態では、アウタースキン２２とインナースキン２４との間には人が入ることができる程度の大きさの空間２６が形成される。
この空間２６は、外気と室内とを遮断する断熱層として形成され、室内の温度を快適な状態に維持するように設けられている。
【００２４】
次に、上述した図面に加えてさらに図３，図４および図５に基づいて、さらに詳しくアウタースキンおよびインナースキンの構造について説明する。
アウタースキン２２は、室外に面したフェイスガラス３０と、フェイスガラス３０の左右両端部３０ａ，３０ｂを室内側で支持するリブガラス３２とから構成されている。左右に隣り合うフェイスガラス３０同士は、所定の間隔を開けて隙間３３が空くように配置されている。図１での破線がリブガラス３２を示している。
なお、フェイスガラス３０は、その上端部３０ｃおよび下端部３０ｄが、ガラリ３６の室内側に設けられている保持部材３７，３７内に収納されて保持される。
【００２５】
リブガラス３２は、その一端３２ａがフェイスガラス３０の室内側面とシール３９を介して接触し、他端３２ｂが見込み方向に突出するような長軸の部材である。
各リブガラス３２の他端３２ｂには、リブガラス３２の他端３２ｂを挟み込んで保持する保持部４１を有するリブガラス受け３８が設けられている。リブガラス受け３８は、アルミニウム等の金属製のフレームを用いるとよい。
【００２６】
隣り合うリブガラス受け３８，３８同士の間には、これら隣り合うリブガラス受け３８，３８同士を連結する扉４０が設けられている。ここに扉４０が設けられていることによって、アウタースキン２２の室内側には、２枚のリブガラス３２，３２と合わせて小部屋部４２が形成される。
扉４０には、隣り合っている２つのリブガラス３２，３２のうちの一方にヒンジ４４が設けられ、このヒンジ４４を支点として室内側方向（矢印Ａ方向）に回動するように設けられている。
なお、特許請求の範囲で述べた閉塞板がここでいう扉４０のことである。
【００２７】
また、リブガラス受け３８の保持部４１よりも室内側には、外部の空気をアウタースキン２２とインナースキン２４との間に形成された空間２６内に導入する空気導入口４６が形成されている。
すなわち、空気導入口４６は、小部屋部４２内の側面に位置するように設けられている。
屋外の空気は、小部屋部４２内から、矢印Ｂ方向に沿って空気導入口４６を経て空間２６内に進入する。
【００２８】
空気導入口４６自体は所定の径の穴であって、これがリブガラス受け３８の上下方向に並んで形成されている。
ただし、このままではゴミ等が空気導入口４６から空間２６内に侵入してしまうので、所定の大きさ以上のゴミ等の通過を遮断するフィルター４８を空気導入口４６に設けるとよい。
なお、このフィルター４８には防虫成分を含むか、または殺虫成分を含んでいるものを使用することにより、空間２６内への虫の侵入を防ぐことができる。
【００２９】
アウタースキン２２のリブガラス３２は、躯体１０がインナースキン２４よりも室外側へ突出して形成された突出部１２の上に設けられている。
具体的には、躯体１０の突出部１２と、突出部１２よりも室外側において横方向に延びる鋼材５２の上面とにわたって台座５９が連結されており、この台座５９上にリブガラス３２とリブガラス受け３８が載置されている。
【００３０】
空間２６内の空気を外部に排出するための空気導出口６０は、フェイスガラス３０の上端部および下端部に設けられており、ガラリ３６が設けられている部分が空気導出口６０である。
また、鋼材５２には、室内側から室外側へ貫通するような貫通穴（図示せず）が形成されている。このため、下方の空間２６から上昇してきた空気は、矢印Ｃに示すように、鋼材５２の貫通穴を通ってガラリ３６から室外へ排出される。
【００３１】
続いてインナースキンについて説明する。
本実施形態のインナースキン２４は、下側に位置するやや大きめの窓５０と、この窓５０の上方に位置する固定窓５２とから構成される。この窓５０と交互にドリーキップ窓５４が配置されており、空間２６を介して室内の空気を入れ替えることができる。
かかるインナースキン２４の窓５０およびドリーキップ窓５４は、建築物の躯体１０において上方に突出している縁部１１の上端部に設けられた枠材５５によって取り付けられている。
【００３２】
なお、インナースキン２４には、室内で操作可能な電動ブラインド５６を設けるようにすると、日差しを和らげることができるので好適である。本実施形態の電動ブラインド５６は、インナースキン２４の室外側（空間２６内）に設けられているので、室内空間をすっきりとさせることができる。
【００３３】
次にガラリについて、図６と図７に基づいて説明する。
ガラリ３６は、風向調節および雨水等の浸入防止のために、空気導出口６０に設けられている部材である。
ガラリ３６は、横方向に延びる羽根部６２を複数枚と、該複数枚の羽根部６２の周囲を固定している枠状の枠体部６４とから構成されている。
【００３４】
通常、ガラリ３６は、羽根部６２と枠体部６４とは別体に設けられ、枠体部６４内に羽根部６２をはめ込んでいくように構成されているものが一般的である。
しかし、本発明のガラリ３６は、羽根部６２と枠体部６４とを一体形成したことに特徴がある。
すなわち、ガラリ３６の製造方法について説明すると、ガラリ３６の材質は具体的にはアルミニウムであり、押出し加工にてガラリ３６を横方向（図では紙面に対して垂直方向）に押し出すようにして、羽根部６２と枠体部６４とを一体に形成する。
押出し加工した直後の段階では、図６に示すように、羽根部６２と枠体部６４との間には隙間が無いが、この後にフライス加工などで羽根部６２の後方側（図面では右側のａ）を枠体部６４を同時に研削することにより、最終的に図７に示すように複数の羽根部６２と枠体部６４の間に隙間を生じさせてガラリ３６を形成することができる。
【００３５】
なお、上述してきた実施形態では、リブガラスを保持するリブガラス受けに空気導入口を設けたものについて説明してきた。
しかし、本発明はこのような実施形態には限定されず、空気導入口の構造を、図８に示すようなものにしてもよい。
なお、以下、図８に基づいて他の実施形態を説明するが、上述してきた実施形態と同一の構成要素については同一の符号を付し、説明を省略する場合がある。
【００３６】
図８に示す実施形態では、空気導入口４６がリブガラス３２に形成されている。本実施形態では、リブガラス３２に空気の出入りが可能な空気導入口４６を設けたことにより、リブガラス受け３８の大きさをその分小さくすることができる。
したがって、アルミニウム等の金属で成形する必要があるリブガラス受け３８の大きさを小さくして見た目にすっきりした印象のダブルスキンカーテンウォールとすることができる。
【００３７】
以上本発明につき好適な実施形態を挙げて種々説明してきたが、本発明はこの実施形態に限定されるものではなく、発明の精神を逸脱しない範囲内で多くの改変を得るのはもちろんである。
【００３８】
【発明の効果】
本発明に係るダブルスキンカーテンウォールによれば、隣り合うフェイスガラス同士を所定の間隔を空けたので表面に汚れやすいシールを使用する必要がなくなり、建築物の綺麗な外観を提供できる。また、アルミフレーム等を用いずにフェイスガラスを支持しているので、すっきりしたイメージの外見にすることができる。
【００３９】
また、請求項２のダブルスキンカーテンウォールによれば、空気導入口が奥まった所にあることとなり、ゴミ等が直接空気導入口に入りにくくなる。
【００４０】
さらに、請求項３のダブルスキンカーテンウォールによれば、空気導入口は建築物の外壁面に直接露出するようなことがなく、この小部屋部から空気が導入されるのでゴミ等が直接空気導入口に入りにくくなる。
【００４１】
また、請求項４のダブルスキンカーテンウォールによれば、フィルターを設けたことで、ゴミ等がたとえ小部屋部内に入ってきてもアウタースキンとインナースキンとの間の空間内には入らないようにすることができる。
【００４２】
請求項５のダブルスキンカーテンウォールによれば、フィルターは、防虫効果を有するものであるので、アウタースキンとインナースキンとの間の空間内への虫の侵入を防止することができる。
【００４３】
さらに、請求項５のダブルスキンカーテンウォールによれば、閉塞板は、開閉可能に設けられているので、室内側からアウタースキンとインナースキンとの間の空間内に入り込めば、閉塞板を空けて小部屋部内の清掃をすることができる。
【００４４】
請求項６のダブルスキンカーテンウォールによれば、インナースキンとアウタースキンとの間の構造を簡単な構造にすることができ、且つ重量がある金属製の建築材料を用いてインナースキンとアウタースキンとの間に人が歩ける程度の足場を設けなくとも良いので、建築物全体の軽量化にも寄与することができる。
【００４５】
なお、請求項７のダブルスキンカーテンウォールによれば、ガラリを製造する際に、枠体部と羽根部とをそれぞれ別々に製造してそれらをあとで組立てるということをしなくともよく、ガラリの製造時間を極めて短時間に短縮することができる。また、構造も単純化して部品点数の削減も達成できるので、コスト削減に寄与することができる。
【図面の簡単な説明】
【図１】本発明に係るダブルスキンカーテンウォールの外観図である。
【図２】図１のダブルスキンカーテンウォールを側面図である。
【図３】図１のダブルスキンカーテンウォールの断面図である。
【図４】空気導出口付近を拡大した側面図である。
【図５】インナースキンの内観図である。
【図６】ガラリを製造する際に、押出し加工によって押し出された直後のガラリの側面図である。
【図７】図６で示したガラリにフライス加工を施したところを示すガラリの側面図である。
【図８】アウタースキンの他の実施形態を示す説明図である。
【符号の説明】
１０  躯体
１１  縁部
１２  突出部
２０  ダブルスキンカーテンウォール
２２  アウタースキン
２４  インナースキン
２６  空間
３０  フェイスガラス
３２  リブガラス
３３  隙間
３６  ガラリ
３７，４１  保持部
３９  シール
４０  扉
４２  小部屋部
４４  ヒンジ
４６  空気導入口
４８  フィルター
５０  窓
５２  固定窓
５２  鋼材
５４  ドリーキップ窓
５５  枠材
５６  電動ブラインド
５９  台座
６０  空気導出口
６２  羽根部
６４  枠体部
【図１】
0003990923.tif 000002
【図２】
0003990923.tif 000003
【図３】
0003990923.tif 000004
【図４】
0003990923.tif 000005
【図５】
0003990923.tif 000006
【図６】
0003990923.tif 000007
【図７】
0003990923.tif 000008
【図８】
0003990923.tif 000009